(57)【特許請求の範囲】
【請求項１】
高周波信号を生成する信号生成手段と、前記信号生成手段が生成した高周波信号を皮膚に通電する一対の端子手段とを備えた高周波トリートメント装置において、
前記一対の端子手段の皮膚に対する動きを検出する動き検出手段と、
前記信号生成手段を制御して前記高周波信号のレベルを制御する制御手段と、
高周波信号の通電状態を計測する通電状態計測手段を備え、
前記制御手段が、前記一対の端子手段の少なくとも一方の動きが、前記動き検出手段で検出されている間は、前記信号生成手段を制御して前記高周波信号のレベルを所定の閾値よりも上げるととともに、前記一対の端子手段の動きが前記動き検出手段によって検出されなくなると、前記通電状態計測手段により前記通電状態を計測し、この通電状態が所定の状態に達すると、前記信号生成手段を制御して前記高周波信号のレベルを所定の閾値以下に下げるように構成されたことを特徴とする高周波トリートメント装置。
【請求項２】
前記通電状態計測手段がタイマであり、前記タイマにより、前記一対の端子手段が停止してから、所定の時間が経過したことが計測されると、前記制御手段が、前記信号生成手段を制御して前記高周波信号のレベルを所定の閾値以下に下げるように構成されたことを特徴とする請求項１に記載の高周波トリートメント装置。
【請求項３】
前記通電状態計測手段が温度センサであり、温度センサによって、一対の端子手段の間の通電部位の温度を計測し、計測された温度が所定温度以上になったことが検出されると、前記制御手段が、前記信号生成手段を制御して前記高周波信号のレベルを所定の閾値以下に下げるように構成されたことを特徴とする請求項１に記載の高周波トリートメント装置。
【発明の詳細な説明】
【技術分野】
【０００１】
この発明は、皮膚に対して高周波信号を通電し、皮膚のトリートメントを行う高周波トリートメント装置の分野に係るものである。
【背景技術】
【０００２】
高周波トリートメント装置は、顔や手脚などの皮膚に対して高周波信号を通電することにより、肌の老化防止やニキビの治療、シミ・ソバカスその他の皮膚トラブルの改善といった美肌効果が得られる。このような高周波トリートメント装置は、例えば特許文献１に開示されている。
【０００３】
この従来の高周波トリートメント装置では、使用者の入力操作により通電刺激モードに設定されると、皮膚接触用の電極と電極との間に所定の電圧が印加される。これにより、使用者の皮膚に接触させた電極間に微弱電流が供給され、この通電刺激によって上記の美肌効果が皮膚に付与される。
【先行技術文献】
【特許文献】
【０００４】
【特許文献１】国際公開第ＷＯ２００６／１３１９９７号パンフレット
【発明の概要】
【発明が解決しようとする課題】
【０００５】
従来の高周波トリートメント装置は、電極の位置が２点で固定されているので、皮膚に対して高周波信号を過剰に通電してしまうと、火傷などの事故を引き起こす危険性があるという課題があった。
【０００６】
この発明は上記のような課題を解決するためになされたものであり、皮膚に対する高周波信号の過剰通電を抑制し、火傷などの事故を防止することが可能な高周波トリートメント装置を提供することを目的とする。
【課題を解決するための手段】
【０００７】
本発明のかかる目的は、
高周波信号を生成する信号生成手段と、前記信号生成手段が生成した高周波信号を皮膚に通電する一対の端子手段とを備えた高周波トリートメント装置であって、
さらに、
高周波信号の通電の適否を判断し、この判断結果に応じて、高周波信号の通電を調整する信号通電調整手段を備え、
前記信号通電調整手段が、
前記一対の端子手段の皮膚に対する動きを検出する動き検出手段と、
前記信号生成手段を制御して前記高周波信号のレベルを制御する制御手段と、
高周波信号の通電状態を計測する通電状態計測手段を備え、
前記制御手段が、前記一対の端子手段の少なくとも一方の動きが、前記動き検出手段で検出されている間は、前記信号生成手段を制御して前記高周波信号のレベルを所定の閾値よりも上げるととともに、前記一対の端子手段の動きが前記動き検出手段によって検出されなくなると、前記通電状態計測手段により前記通電状態を計測し、この通電状態が所定の状態に達すると、前記信号生成手段を制御して前記高周波信号のレベルを所定の閾値以下に下げるように構成されたことを特徴とする高周波トリートメント装置によって達成される。
【発明の効果】
【０００８】
本発明によれば、高周波信号の通電の適否を判断し、この判断結果に応じて、高周波信号の通電を調整する信号通電調整手段が、一対の端子手段の皮膚に対する動きを検出する動き検出手段と、信号生成手段を制御して高周波信号のレベルを制御する制御手段と、
高周波信号の通電状態を計測する通電状態計測手段とを備え、制御手段が、一対の端子手段の少なくとも一方の動きが、動き検出手段で検出されている間は、信号生成手段を制御して高周波信号のレベルを所定の閾値よりも上げるととともに、一対の端子手段の動きが動き検出手段によって検出されなくなると、通電状態計測手段により前記通電状態を計測し、この通電状態が所定の状態に達すると、信号生成手段を制御して高周波信号のレベルを所定の閾値以下に下げるように構成されているから、皮膚に対する過剰通電を抑制することができ、火傷などの事故を確実に防止することが可能になる。
【図面の簡単な説明】
【０００９】
【図１】図１は、参考例１にかかる高周波トリートメント装置の構成を示す図である。
【図２】図２は、参考例１にかかる高周波トリートメント装置の動作を示すフローチャートである。
【図３】図３は、参考例１の構成変形例にかかる高周波トリートメント装置の構成を示す図である。
【図４】図４は、参考例１の構成変形例にかかる高周波トリートメント装置の動作を示すフローチャートである。
【図５】図５は、高周波トリートメント装置のヘッドの構成のバリエーションを示す図である。
【図６】図６は、参考例２にかかる高周波トリートメント装置の構成を示す図である。
【図７】図７は、参考例２にかかる高周波トリートメント装置の動作を示すフローチャートである。
【図８】図８は、参考例２の構成変形例にかかる高周波トリートメント装置の構成を示す図である。
【図９】図９は、参考例３にかかる高周波トリートメント装置の構成を示す図である。
【図１０】図１０は、参考例３にかかる高周波トリートメント装置の動作を示すフローチャートである。
【図１１】図１１は、本発明の好ましい実施の形態にかかる高周波トリートメント装置の構成を示す図である。
【図１２】図１２は、本発明の好ましい実施の形態にかかる高周波トリートメント装置の動作を示すフローチャートである。
【図１３】図１３は、参考例４にかかる高周波トリートメント装置の構成を示す図である。
【図１４】図１４は、参考例４にかかる高周波トリートメント装置の動作を示すフローチャートである。
【図１５】図１５は、参考例４の構成変形例にかかる高周波トリートメント装置の構成を示す図である。
【図１６】図１６は、参考例５にかかる高周波トリートメント装置の構成を示す図である。
【図１７】図１７は、参考例５にかかる高周波トリートメント装置の動作を示すフローチャートである。
【図１８】図１８は、通電限界時間とインターバル時間との関係を示す図である。
【発明を実施するための形態】
【００１０】
以下、図面を参照しつつ、本発明の発明の実施の形態および参考例につき詳細に説明を加える。なお、各図面において、同一の構成または相当する構成については同一の符号が付されている。
【００１１】
［参考例１］
参考例１においては、高周波トリートメント装置は、一対の端子手段の一方から他方までの間の皮膚の通電部位を変更する通電部位変更手段を備えている。
【００１２】
以下の説明において、皮膚と端子との接触には、（Ａ）皮膚と端子とが実際に接触している状態、（Ｂ）皮膚と端子とが接触していなくとも、皮膚に対し端子が通電可能な程度に皮膚と端子とが近接している状態の両方の意味を含んでいる。
【００１３】
図１は、参考例１にかかる高周波トリートメント装置の構成を示す図である。
【００１４】
図１において、１０は高周波トリートメント装置を制御するＣＰＵ（制御手段）、２０は高周波信号を発振する発振回路（信号生成手段）、３０は高周波信号を増幅する増幅回路（信号生成手段）、４１ｘ，４１ｙは増幅回路３０の端子（端子手段）、５０は端子４１ｘ，４１ｙを保持するヘッド（端子手段）を示している。
【００１５】
さらに、５１はモータ（動力伝達手段）、５１ａは連結部材（動力伝達手段）、５１ｃはモータ５１を駆動するモータ駆動回路（動力伝達手段）、５１ｚは仮想的に図示したモータ５１の回転軸、Ｓは顔や手脚などの皮膚を示している。
【００１６】
ヘッド５０は、連結部材５１ａによって、モータ５１と連結されており、ＣＰＵ１０がモータ駆動回路５１ｃにより、モータ５１を駆動すると、連結部材５１ａを介して、モータ５１の動力がヘッド５０に伝達され、回転軸５１ｚ周りにヘッド５０が回転するようになっている。
【００１７】
ヘッド５０では、端子４１ｘ，４１ｙが皮膚Ｓと接触し、高周波信号を皮膚Ｓに通電する。
【００１８】
図１においては、モータ５１および連結部材５１ａと、ＣＰＵ１０およびモータ駆動回路５１ｃとから通電部位変更手段が構成されている。
【００１９】
図２は、参考例１にかかる高周波トリートメント装置の動作を示すフローチャートである。
【００２０】
図２に示されるように、ＣＰＵ１０は、発振回路２０および増幅回路３０を制御して、発振回路２０が発振する高周波信号を増幅回路３０により増幅し、皮膚Ｓと接触した端子４１ｘ，４１ｙを介して、増幅回路３０からの高周波信号を皮膚Ｓに通電する（ステップＳＴ２１）。
【００２１】
高周波信号が皮膚Ｓに通電されると、ＣＰＵ１０は、モータ駆動回路５１ｃによりモータ５１を駆動して、回転軸５１ｚ周りにヘッド５０を回転させる（ステップＳＴ２２）。ヘッド５０が回転すると、ヘッド５０に保持された端子４１ｘ，４１ｙも、回転軸５１ｚ周りに回転し、端子４１ｘ，４１ｙの皮膚Ｓ上の位置が移動するようになる。
【００２２】
以後、ＣＰＵ１０はステップＳＴ２１，ＳＴ２２を繰り返し実行するので、高周波信号の通電中は、端子４１ｘ，４１ｙの皮膚Ｓ上の位置も移動し続ける。これに応じて、端子４１ｘから端子４１ｙまでの通電部位も変更され続ける。
【００２３】
このように、端子４１ｘ，４１ｙを介して高周波信号を皮膚Ｓに通電するステップＳＴ２１と、回転軸５１ｚ周りに端子４１ｘ，４１ｙを回転させるステップＳＴ２２とを、ＣＰＵ１０に繰り返し実行させているので、高周波信号の通電中は、端子４１ｘ，４１ｙの皮膚Ｓ上の位置が移動し続けて、端子４１ｘ，４１ｙが同一箇所に留まらず、通電部位も変更され続けるようになり、皮膚Ｓに対する過剰通電を抑制し、火傷などの事故を防止できる。
【００２４】
図３は、タイマを使って制御するように構成された参考例１の構成変更例にかかる高周波トリートメント装置の構成を示す図である。
【００２５】
図３において、１１は高周波信号の通電時間ｔ１を計測するためのタイマ（時間計測手段）である。
【００２６】
図３においては、モータ５１および連結部材５１ａと、タイマ１１と、ＣＰＵ１０およびモータ駆動回路５１ｃとから通電部位変更手段が構成されている。
【００２７】
図４は、参考例１の構成変更例にかかる高周波トリートメント装置の動作を示すフローチャートである。
【００２８】
図４に示されるように、ＣＰＵ１０は、タイマ１１を起動し（ステップＳＴ４１）、端子４１ｘ，４１ｙを介して増幅回路３０からの高周波信号を皮膚Ｓに通電する（ステップＳＴ４２）。
【００２９】
次いで、ＣＰＵ１０は、タイマ１１により通電時間ｔ１を計測し（ステップＳＴ４３）、通電時間ｔ１が通電限界時間Ｔｍに達したかどうかを判断する（ステップＳＴ４４）。ここに、通電限界時間Ｔｍとは、皮膚Ｓに対して、高周波信号をこれ以上通電すると火傷などの事故が起きる危険性があると考えられる所定の時間を意味するものである。
【００３０】
通電時間ｔ１が通電限界時間Ｔｍに達していない場合には（ステップＳＴ４４でＹＥＳ）、ＣＰＵ１０は、高周波信号の通電と、通電時間ｔ１の計測と、通電時間ｔ１と通電限界時間Ｔｍとの比較判断とを、繰り返し実行する（ステップＳＴ４２〜ＳＴ４４でＹＥＳ）。
【００３１】
そして、通電時間ｔ１が通電限界時間Ｔｍに達すると（ステップＳＴ４４でＮＯ）、皮膚Ｓに対して、高周波信号をこれ以上通電すると火傷などの事故が起きる危険性があるので、ＣＰＵ１０は、モータ駆動回路５１ｃによりモータ５１を駆動して、回転軸５１ｚ周りに、ヘッド５０を回転させる（ステップＳＴ４５）。ヘッド５０が回転すると、ヘッド５０に保持された端子４１ｘ，４１ｙも回転軸５１ｚ周りに回転し、端子４１ｘ，４１ｙの皮膚Ｓ上の位置が移動する。
【００３２】
以後、ＣＰＵ１０はステップＳＴ４１〜ＳＴ４５を繰り返し実行するので、高周波信号の通電中は、通電時間ｔ１が通電限界時間Ｔｍに達する毎に、端子４１ｘ，４１ｙの皮膚Ｓ上の位置も移動するようになる。これに応じて、端子４１ｘから端子４１ｙまでの通電部位も変更される。
【００３３】
このように、端子４１ｘ，４１ｙを介して、高周波信号を皮膚Ｓに通電するステップＳＴ４２と、端子４１ｘ，４１ｙの皮膚Ｓ上の位置が移動する毎に、ステップＳＴ４１で起動したタイマ１１により通電時間ｔ１を計測するステップＳＴ４３と、通電時間ｔ１が通電限界時間Ｔｍに達したかどうかを判断するステップＳＴ４４と、通電時間ｔ１が通電限界時間Ｔｍに達して、ステップＳＴ４４でＮＯとなると、回転軸５１ｚ周りに端子４１ｘ，４１ｙを回転させるステップＳＴ４５とをＣＰＵ１０に実行させているので、通電時間ｔ１が通電限界時間Ｔｍに達する毎に、通電部位が変更されるようになり、皮膚Ｓに対する過剰通電が抑制され、火傷などの事故を防止することができる。
【００３４】
なお、ヘッド５０の構成には、様々なバリエーションを採用することができる。
【００３５】
例えば、図５（ａ）に示すように、端子４１ｘ，４１ｙの少なくとも一方が皮膚Ｓを貫く方向の回転軸５１ｚ周りを回転できるようにヘッド５０に設け、モータ５１が連結部材５１ａを介して回転軸５１ｚ周りにヘッド５０を回転してもよい。これにより、簡単な構成で端子４１ｘ，４１ｙを実現することができる。
【００３６】
また、図５（ｂ）に示すように、図５（ａ）の端子４１ｘ，４１ｙの一方が皮膚Ｓを貫く方向の回転軸５１ｚ上となるようにヘッド５０に設け、モータ５１が連結部材５１ａを介して回転軸５１ｚ周りにヘッド５０を回転させてもよい。これによっても、簡単な構成で端子４１ｘ，４１ｙを実現することができる。
【００３７】
図５（ｂ）の場合、回転軸５１ｚ上に配置した端子４１ｘ，４１ｙの一方の皮膚Ｓ上の位置は変わらず、端子４１ｘ，４１ｙの他方だけが移動するようになる。つまり、図１や図３では、端子４１ｘ，４１ｙ両方の皮膚Ｓ上の位置を移動させていたが、図５（ｂ）のように、端子４１ｘ，４１ｙのいずれか一方の皮膚Ｓ上の位置を移動させれば通電部位の変更は可能である。
【００３８】
さらに、図５（ｃ）に示すように、端子４１ｘ，４１ｙの少なくとも一方を車輪形状の回転体とし、端子４１ｘ，４１ｙが皮膚Ｓ上を回転するように構成したヘッド５０であってもよい。この場合は、モータ５１の動力により、端子４１ｘ，４１ｙの一方または両方を回転軸５１ｚｘ，５１ｚｙ周りに回転させるようにする。これにより、皮膚Ｓ上を端子４１ｘ，４１ｙが移動しやすくなる。
【００３９】
以上のように、この参考例１によれば、高周波信号を生成する発振回路２０および増幅回路３０と、発振回路２０および増幅回路３０が生成した高周波信号を皮膚Ｓに通電する端子４１ｘ，４１ｙを保持するヘッド５０とを備えた高周波トリートメント装置において、高周波信号の通電中に、端子４１ｘ，４１ｙの一方から他方までの間の皮膚Ｓの通電部位を変更する通電部位変更手段を備えるようにしたので、高周波信号の通電中に通電部位を変更できるようになり、皮膚Ｓに対する過剰通電が抑制され、火傷などの事故を防止できるという効果が得られる。
【００４０】
また、この参考例１によれば、通電部位変更手段は、モータ駆動回路５１ｃにより駆動されると、連結部材５１ａを介して、端子４１ｘ，４１ｙの皮膚Ｓ上の位置を移動させるモータ５１と、高周波信号の通電中に、モータ駆動回路５１ｃによりモータ５１を駆動するＣＰＵ１０とを備えるようにしたので、端子４１ｘ，４１ｙの皮膚Ｓ上の位置が移動し続けて通電部位も変更され続けるようになり、皮膚Ｓに対する過剰通電が抑制され、火傷などの事故を防止できるという効果が得られる。
【００４１】
さらに、この参考例１の構成変更例によれば、通電部位変更手段は、高周波信号の通電時間ｔ１を計測するタイマ１１をさらに備え、ＣＰＵ１０は、端子４１ｘ，４１ｙが移動すると、タイマ１１により通電時間ｔ１を計測し、この通電時間ｔ１が通電限界時間Ｔｍに達すると、モータ駆動回路５１ｃによりモータ５１を駆動するようにしたので、通電時間ｔ１が通電限界時間Ｔｍに達する毎に通電部位が変更されるようになり、皮膚Ｓに対する過剰通電が抑制され、火傷などの事故を防止できるという効果が得られる。
【００４２】
また、この参考例１によれば、端子４１ｘ，４１ｙの少なくとも一方は、皮膚Ｓを貫く方向の回転軸５１ｚを中心に回転自在に設けられ、モータ５１は、モータ駆動回路５１ｃにより駆動されると、回転軸５１ｚを中心に、端子４１ｘ，４１ｙの少なくとも一方を回転させるようにしたので、簡単な構成でヘッド５０を実現できるという効果が得られる。
【００４３】
さらに、この参考例１によれば、端子４１ｘ，４１ｙの他方は、回転軸５１ｚ上に設けられるようにしたので、簡単な構成でヘッド５０を実現できるという効果が得られる。
【００４４】
また、この参考例１によれば、端子４１ｘ，４１ｙの少なくとも一方は、皮膚Ｓ上を回転する回転体として構成され、モータ５１は、モータ駆動回路５１ｃにより駆動されると、端子４１ｘ，４１ｙの少なくとも一方を回転させるようにしたので、ヘッド５０が皮膚Ｓ上を移動しやすくなるという効果が得られる。
【００４５】
［参考例２］
図６は、参考例２にかかる高周波トリートメント装置の構成を示す図である。
【００４６】
図６において、４１ｙ−１，４１ｙ−２，４１ｙ−３は増幅回路３０と電気的に接続可能な３つの切替端子（切替端子手段）、５２ｙは切替端子４１ｙ−１〜４１ｙ−３から一つを選択して増幅回路３０と電気的に接続するスイッチ（スイッチ手段）を示している。
【００４７】
図６においては、スイッチ５２ｙと、タイマ１１と、ＣＰＵ１０とから通電部位変更手段が構成されている。
【００４８】
図７は、参考例２にかかる高周波トリートメント装置の動作を示すフローチャートである。
【００４９】
参考例２では、端子４１ｘ，切替端子４１ｙ−１〜４１ｙ−３が皮膚Ｓ上を移動しないように、使用者がヘッド５０を皮膚Ｓに押し付けながら高周波トリートメント装置を使用する。
【００５０】
図７に示されるように、ＣＰＵ１０は、スイッチ５２ｙを駆動し、切替端子４１ｙ−１〜４１ｙ−３の中から切替端子４１ｙ−１に切り替えて、切替端子４１ｙ−１を増幅回路３０と電気的に接続する（ステップＳＴ７１）。次にＣＰＵ１０は、タイマ１１を起動し（ステップＳＴ７２）、端子４１ｘ，切替端子４１ｙ−１を介して高周波信号を皮膚Ｓに通電する（ステップＳＴ７３）。
【００５１】
続いて、ＣＰＵ１０は、タイマ１１により通電時間ｔ１を計測し（ステップＳＴ７４）、通電時間ｔ１が通電限界時間Ｔｍに達したかどうかを判断する（ステップＳＴ７５）。
【００５２】
通電時間ｔ１が通電限界時間Ｔｍに達していない場合（ステップＳＴ７５でＹＥＳ）、ＣＰＵ１０は、高周波信号の通電と、通電時間ｔ１の計測と、通電時間ｔ１と通電限界時間Ｔｍとの比較判断とを繰り返し実行する（ステップＳＴ７３〜ＳＴ７５でＹＥＳ）。
【００５３】
そして、通電時間ｔ１が通電限界時間Ｔｍに達すると（ステップＳＴ７５でＮＯ）、皮膚Ｓに対して、高周波信号をこれ以上通電すると火傷などの事故が起きる危険性があるので、ＣＰＵ１０は、スイッチ５２ｙを駆動し、残りの切替端子４１ｙ−２，４１ｙ−３の中から切替端子４１ｙ−２に切り替えて、切替端子４１ｙ−２を増幅回路３０と電気的に接続する（ステップＳＴ７１）。
【００５４】
次に、ＣＰＵ１０は、改めて、タイマ１１を起動し（ステップＳＴ７２）、端子４１ｘ，切替端子４１ｙ−２を介して高周波信号を皮膚Ｓに通電する（ステップＳＴ７３）。続いてＣＰＵ１０は、タイマ１１により通電時間ｔ１を計測し（ステップＳＴ７４）、通電時間ｔ１が通電限界時間Ｔｍに達するまで（ステップＳＴ７４，ＳＴ７５でＮＯ）、高周波信号の通電と、通電時間ｔ１の計測と、通電時間ｔ１と通電限界時間Ｔｍとの比較判断とを繰り返し実行する（ステップＳＴ７３〜ＳＴ７５でＹＥＳ）。
【００５５】
以下、通電限界時間Ｔｍだけ端子４１ｘ，切替端子４１ｙ−２を介して通電を行うと（ステップＳＴ７５でＮＯ）、ＣＰＵ１０は、スイッチ５２ｙを駆動し、残りの切替端子４１ｙ−３，４１ｙ−１の中から切替端子４１ｙ−３に切り替えて（ステップＳＴ７１）、上記の場合と同様の動作を繰り返す（ステップＳＴ７２〜ＳＴ７５）。
【００５６】
このように、端子４１ｘと切替端子４１ｙ−１〜４１ｙ−３の一つとを介して高周波信号を皮膚Ｓに通電するステップＳＴ７３と、切替端子４１ｙ−１〜４１ｙ−３が切り替わる毎にステップＳＴ７２で起動したタイマ１１により通電時間ｔ１を計測するステップＳＴ７４と、通電時間ｔ１が通電限界時間Ｔｍに達したかどうかを判断するステップＳＴ７５と、通電時間ｔ１が通電限界時間Ｔｍに達してステップＳＴ７５でＮＯとなるとスイッチ５２ｘを駆動して残りの切替端子４１ｙ−１〜４１ｙ−３に切り替えて増幅回路３０からの高周波信号を通電するステップＳＴ７１とをＣＰＵ１０に実行させているので、通電時間ｔ１が通電限界時間Ｔｍに達する毎に通電部位が変更されるようになり、皮膚Ｓに対する過剰通電が抑制され、火傷などの事故を防止することができる。
【００５７】
なお、切替端子４１ｙ−１〜４１ｙ−３は、切替端子４１ｙ−１，切替端子４１ｙ−２，切替端子４１ｙ−３，切替端子４１ｙ−１，切替端子４１ｙ−２，切替端子４１ｙ−３，……と周期的に切り替えられても良いし、切替端子４１ｙ−１〜４１ｙ−３から一つをランダムに切り替えられてもよい。
【００５８】
また、参考例２において、切替端子の数は３つに限定されるものではなく、２つ以上であればよい。
【００５９】
さらに、図示は省略するが、端子４１ｙ側を端子１つとし、代わりに端子４１ｘ側を２つ以上の切替端子として、これに対応して設けられたスイッチをＣＰＵ１０が駆動して２つ以上の切替端子を切り替えてもよい。
【００６０】
図８は、参考例２の構成変更例にかかる高周波トリートメント装置の構成を示す図である。
【００６１】
図８において、４１ｘ−１，４１ｘ−２，４１ｘ−３は増幅回路３０と電気的に接続される切替端子（切替端子手段）、５２ｘは切替端子４１ｘ−１〜４１ｘ−３を切り替えるスイッチ（スイッチ手段）である。
【００６２】
図８では、スイッチ５２ｘ，５２ｙと、タイマ１１と、ＣＰＵ１０とから通電部位変更手段が構成されている。
【００６３】
ここでは、切替端子４１ｙ−１〜４１ｙ−３およびスイッチ５２ｙに加えて、切替端子４１ｘ−１〜４１ｘ−３およびスイッチ５２ｘをヘッド５０に設け、ＣＰＵ１０がスイッチ５２ｘ，５２ｙを駆動して切替端子４１ｘ−１〜４１ｘ−３，切替端子４１ｙ−１〜４１ｙ−３をそれぞれ切り替えるようにしている。
【００６４】
端子４１ｘ，４１ｙ側のいずれも、２つ以上の切替端子４１ｘ−１〜４１ｘ−３，切替端子４１ｙ−１〜４１ｙ−３とすることで、図６の場合に比べて、切替端子４１ｘ−１〜４１ｘ−３，切替端子４１ｙ−１〜４１ｙ−３の組み合わせが増え、変更可能な通電部位が増加し、いっそう効果的に火傷などの事故を防ぐことができるようになる。このときの切替は、端子４１ｘ，４１ｙ側で、同時に行っても良いし、交互に行っても良いし、ランダムに行ってもよい。
【００６５】
図８のスイッチ５２ｘ，５２ｙは、必ずしもヘッド５０に設ける必要はなく、ヘッド５０以外の構成要素に設けてもよい。
【００６６】
以上のように、この参考例２によれば、端子４１ｙは、発振回路２０および増幅回路３０が生成した高周波信号を皮膚Ｓに通電する互いに独立した切替端子４１ｙ−１〜４１ｙ−３から構成され、通電部位変更手段は、駆動されると、高周波信号を通電する切替端子４１ｙ−１〜４１ｙ−３を切り替えるスイッチ５２ｙと、高周波信号の通電時間ｔ１を計測するタイマ１１と、切替端子４１ｙ−１〜４１ｙ−３が切り替えられると、タイマ１１により通電時間ｔ１を計測し、この通電時間ｔ１が通電限界時間Ｔｍに達すると、スイッチ５２ｙを駆動するＣＰＵ１０とを備えるようにしたので、通電時間ｔ１が通電限界時間Ｔｍに達する毎に通電部位が変更されるようになり、皮膚Ｓに対する過剰通電が抑制され、火傷などの事故を防止できるという効果が得られる。
【００６７】
さらに、参考例２の構成変更例によれば、端子４１ｘ，４１ｙは、発振回路２０および増幅回路３０が生成した高周波信号を皮膚Ｓに通電する互いに独立した切替端子４１ｘ−１〜４１ｘ−３，４１ｙ−１〜４１ｙ−３から構成され、通電部位変更手段は、端子４１ｘ，４１ｙに対応して設けられ、駆動されると、高周波信号を通電する切替端子４１ｘ−１〜４１ｘ−３，４１ｙ−１〜４１ｙ−３を切り替えるスイッチ５２ｘ，５２ｙと、高周波信号の通電時間ｔ１を計測するタイマ１１と、切替端子４１ｘ−１〜４１ｘ−３，４１ｙ−１〜４１ｙ−３が切り替えられると、タイマ１１により通電時間ｔ１を計測し、この通電時間ｔ１が通電限界時間Ｔｍに達すると、スイッチ５２ｘ，５２ｙを駆動するＣＰＵ１０とを備えるようにしたので、図６の場合に比べて、切替端子４１ｘ−１〜４１ｘ−３，４１ｙ−１〜４１ｙ−３の組み合わせが増え、変更可能な通電部位が増加し、いっそう効果的に火傷などの事故を防ぐことができるという効果が得られる。
【００６８】
［参考例３］
図９は、参考例３にかかる高周波トリートメント装置の構成を示す図である。
【００６９】
以下、参考例３として、高周波信号の通電の適否を判断し、この判断結果に応じて、高周波信号の通電を調整する信号通電調整手段を用いた高周波トリートメント装置について述べる。
【００７０】
図９において、５３は自身の動きをセンシングしてセンサ信号を出力する動きセンサ（動き検出手段）、５３ｃは動きセンサ５３からのセンサ信号を処理して動きを検出する動き検出回路（動き検出手段）である。
【００７１】
動きセンサ５３は、パソコンの光学マウスと同様に、皮膚Ｓに光を出射してその反射光を受光し、自身の動きを検出する動き検出方式が採用されている。動きセンサ５３は、端子４１ｘ，４１ｙとともにヘッド５０に設けられているので、皮膚Ｓに対する端子４１ｘ，４１ｙの動きをセンシングしていることになる。
【００７２】
図９においては、動きセンサ５３および動き検出回路５３ｃと、ＣＰＵ１０とから信号通電調整手段が構成されている。
【００７３】
図１０は、参考例３にかかる高周波トリートメント装置の動作を示すフローチャートである。参考例３においては、端子４１ｘ，４１ｙが皮膚Ｓ上を移動するように、使用者が高周波トリートメント装置を動かしながら使用する。
【００７４】
図１０に示されるように、端子４１ｘ，４１ｙを介して皮膚Ｓへ高周波信号が通電すると（ステップＳＴ１０１）、動きセンサ５３は、端子４１ｘ，４１ｙの動きをセンシングしてセンサ信号を出力し、動き検出回路５３ｃへ送る。動き検出回路５３ｃは、センサ信号を処理して動きを検出し、ＣＰＵ１０に伝える（ステップＳＴ１０２）。
【００７５】
動きが検出されている間は（ステップＳＴ１０２でＹＥＳ）、端子４１ｘ，４１ｙも皮膚Ｓに対して動いており、ＣＰＵ１０は、皮膚Ｓに対する過剰通電の危険はないものと判断し、発振回路２０および増幅回路３０を制御して高周波信号の通電を継続する（ステップＳＴ１０１）。
【００７６】
一方、動きが検出されない場合（ステップＳＴ１０２でＮＯ）、端子４１ｘ，４１ｙも皮膚Ｓに対して動いておらず、ＣＰＵ１０は、皮膚Ｓに対する過剰通電の危険性があると判断し、発振回路２０および増幅回路３０を制御して高周波信号の通電を停止する（ステップＳＴ１０３）。
【００７７】
このように、端子４１ｘ，４１ｙを介して、高周波信号を皮膚Ｓに通電するステップＳＴ１０１と、動きセンサ５３および動き検出回路５３ｃにより動きを検出するステップＳＴ１０２と、動きが検出されずステップＳＴ１０２でＮＯとなると皮膚Ｓに対する通電を停止するステップＳＴ１０３とを、ＣＰＵ１０に実行させているので、皮膚Ｓに対して端子４１ｘ，４１ｙが動いていない限り、高周波信号が通電されなくなり、皮膚Ｓに対する過剰通電が抑制され、火傷などの事故を防止することができる。
【００７８】
以上のように、参考例３によれば、高周波信号を生成する発振回路２０および増幅回路３０と、発振回路２０および増幅回路３０が生成した高周波信号を皮膚Ｓに通電する端子４１ｘ，４１ｙとを備えた高周波トリートメント装置において、高周波信号の通電の適否を判断し、この判断結果に応じて、高周波信号の通電を調整する信号通電調整手段を備えるようにしたので、通電の適否の判断結果に応じて高周波信号の通電が適宜調整されるようになり、皮膚Ｓに対する過剰通電が抑制され、火傷などの事故を防止できるという効果が得られる。
【００７９】
また、参考例３によれば、信号通電調整手段は、端子４１ｘ，４１ｙの皮膚Ｓに対する動きを検出する動きセンサ５３および動き検出回路５３ｃと、端子４１ｘ，４１ｙの動きが動きセンサ５３および動き検出回路５３ｃで検出されている間は、発振回路２０停止するおよび増幅回路３０を制御して高周波信号を通電するＣＰＵ１０とを備えるようにしたので、皮膚Ｓに対して、端子４１ｘ，４１ｙが同一箇所に留まっていない場合に高周波信号が通電されるようになり、皮膚Ｓに対する過剰通電が抑制され、火傷などの事故を防止できるという効果が得られる。
【００８０】
さらに、参考例３によれば、ＣＰＵ１０は、端子４１ｘ，４１ｙの動きが動きセンサ５３および動き検出回路５３ｃで検出されなくなると、発振回路２０および増幅回路３０を制御して高周波信号の通電を停止するようにしたので、皮膚Ｓに対して、端子４１ｘ，４１ｙが同一箇所に留まった状態では、高周波信号が通電されないようになり、皮膚Ｓに対する過剰通電が抑制され、火傷などの事故を防止できるという効果が得られる。
【００８１】
本発明の好ましい実施の形態
図１１は、本発明の好ましい実施の形態にかかる高周波トリートメント装置の構成を示す図である。
【００８２】
図１１においては、動きセンサ５３および動き検出回路５３ｃと、タイマ１１と、ＣＰＵ１０とから信号通電調整手段が構成されている。
【００８３】
図１２は、本発明の好ましい実施の形態にかかる高周波トリートメント装置の動作を示すフローチャートである。
【００８４】
図１２に示されるように、ＣＰＵ１０は、高周波信号の通電中に動きが検出されなくなっても（ステップＳＴ１２１，ＳＴ１２２でＮＯ）、直ちに通電を停止せず、タイマ１１を起動して通電を継続し（ステップＳＴ１２３，ＳＴ１２４）、動きが検出されなくなってからの通電時間ｔ１をタイマ１１により計測する（ステップＳＴ１２５）。
【００８５】
この間に、動きが再び検出されれば（ステップＳＴ１２６でＹＥＳ）、端子４１ｘ，４１ｙも皮膚Ｓに対して再び動き始めたので、ＣＰＵ１０は、皮膚Ｓに対する過剰通電の危険は解消したものと判断し、ステップＳＴ１２１，ＳＴ１２２のループに戻る。
【００８６】
一方、いっこうに動きが検出されない場合（ステップＳＴ１２６でＮＯ）、ＣＰＵ１０は、通電時間ｔ１が通電限界時間Ｔｍに達したかどうかを判断する（ステップＳＴ１２７）。通電時間ｔ１が通電限界時間Ｔｍに達していない場合（ステップＳＴ１２７でＹＥＳ）、ＣＰＵ１０は、高周波信号の通電と、通電時間ｔ１の計測と、通電時間ｔ１と通電限界時間Ｔｍとの比較判断とを繰り返し実行する（ステップＳＴ１２４〜ＳＴ１２７でＹＥＳ）。
【００８７】
以後、高周波信号の通電と通電時間ｔ１の計測とが続けられ（ステップＳＴ１２４，ＳＴ１２５）、その間も動きが検出されず（ステップＳＴ１２６でＮＯ）、最終的に通電時間ｔ１が通電限界時間Ｔｍに達すると（ステップＳＴ１２７でＮＯ）、ＣＰＵ１０は、皮膚Ｓに対して、高周波信号をこれ以上通電すると火傷などの事故が起きる危険性があると判断し、強制的に通電を停止する（ステップＳＴ１２８）。
【００８８】
このように、高周波信号の通電中に皮膚Ｓに対する端子４１ｘ，４１ｙの動きが検出されなくなって、ステップＳＴ１２２でＮＯとなると、端子４１ｘ，４１ｙを介して高周波信号を通電するステップＳＴ１２４と、ステップＳＴ１２３で起動したタイマ１１により通電時間ｔ１を計測するステップＳＴ１２５と、ステップＳＴ１２６で動きが検出されていない場合に通電時間ｔ１が通電限界時間Ｔｍに達したかどうかを判断するステップＳＴ１２７と、通電時間ｔ１が通電限界時間Ｔｍに達してステップＳＴ１２７でＮＯとなると強制的に通電を停止するステップＳＴ１２８とをＣＰＵ１０に実行させているので、動きが検出されなくなってから通電限界時間Ｔｍが経過するまでは通電を行い、この後に通電が停止されるようになり、皮膚Ｓに対する過剰通電が抑制され、火傷などの事故を防止することができる。
【００８９】
なお、動きセンサ５３および動き検出回路５３ｃで検出される端子４１ｘ，４１ｙの動きについては、端子４１ｘ，４１ｙのどちらか一方が皮膚Ｓに対して動いていれば通電部位が変化しており高周波信号を通電することができ、端子４１ｘ，４１ｙの両方が留まっていれば通電部位が変化しておらず通電を停止すべきと考えられる。
【００９０】
また、動きセンサ５３は、光学マウスの動き検出方式により自身の動きを検出する方式に限定されるものではなく、皮膚Ｓに対する端子４１ｘ，４１ｙの動きを検出できるものであればよい。例えば、次の（１）〜（３）の方式による動き検出手段を用いることも可能である。
【００９１】
（１）加速度をセンシングする加速度センサをヘッド５０に設ける加速度センサ方式。
【００９２】
（２）角速度をセンシングするジャイロセンサをヘッド５０に設けるジャイロセンサ方式。
【００９３】
（３）動き検出用モータをヘッド５０に設け、通電中に動き検出用モータの駆動部分が皮膚Ｓ上を移動して摩擦力で回転するようにし、この回転により生じた起電力をセンシングするモータ回転センサ方式。
【００９４】
本発明の好ましい実施形態によれば、信号通電調整手段は、高周波信号の通電時間ｔ１を計測するタイマ１１をさらに備え、ＣＰＵ１０は、端子４１ｘ，４１ｙの動きが動きセンサ５３および動き検出回路５３ｃで検出されなくなると、タイマ１１により通電時間ｔ１を計測し、この通電時間ｔ１が通電限界時間Ｔｍに達すると、発振回路２０および増幅回路３０を制御して高周波信号の通電を停止するようにしたので、皮膚Ｓに対して、端子４１ｘ，４１ｙが同一箇所に留まってから通電限界時間Ｔｍの経過を待って、高周波信号の通電が停止されるようになり、皮膚Ｓに対する過剰通電が抑制され、火傷などの事故を防止できるという効果を得ることができる。
【００９５】
［参考例４］
図１３は、参考例４にかかる高周波トリートメント装置の構成を示す図である。
【００９６】
この参考例４においても、高周波トリートメント装置は信号通電調整手段を備えている。
【００９７】
図１３において、５４は自身と皮膚Ｓとの接触をセンシングしてセンサ信号を出力するタッチセンサ（接触検出手段）、５４ｃはタッチセンサ５４からのセンサ信号を処理して接触を検出するタッチ検出回路（接触検出手段）である。
【００９８】
タッチセンサ５４は端子４１ｘ，４１ｙとともにヘッド５０に設けられており、タッチセンサ５４が皮膚Ｓと接触すると、端子４１ｘ，４１ｙも皮膚Ｓと接触するようになっている。つまり、タッチセンサ５４は、自身と皮膚Ｓとの接触をセンシングすることにより、端子４１ｘ，４１ｙと皮膚Ｓとの接触をセンシングしていることになる。
【００９９】
図１３では、タッチセンサ５４およびタッチ検出回路５４ｃと、タイマ１１と、ＣＰＵ１０とから信号通電調整手段が構成されている。
【０１００】
図１４は、参考例４にかかる高周波トリートメント装置の動作を示すフローチャートである。
【０１０１】
図１４に示されるように、図１３のタッチセンサ５４は、端子４１ｘ，４１ｙと皮膚Ｓとの接触をセンシングしてセンサ信号を出力し、タッチ検出回路５４ｃへ送る。タッチ検出回路５４ｃは、センサ信号を処理して接触を検出し、ＣＰＵ１０に伝える（ステップＳＴ１４２）。
【０１０２】
接触が検出されていない間は（ステップＳＴ１４２でＮＯ）、ＣＰＵ１０は、発振回路２０および増幅回路３０を制御して高周波信号を皮膚Ｓに通電せず、待ち受け状態となる（ステップＳＴ１４１）。
【０１０３】
そして、接触が検出されると（ステップＳＴ１４２でＹＥＳ）、ＣＰＵ１０は、高周波信号の通電を行う必要があると判断し、タイマ１１を起動して通電を開始し（ステップＳＴ１４３，ＳＴ１４４）、この通電時間ｔ１をタイマ１１により計測する（ステップＳＴ１４５）。
【０１０４】
この間に、接触が検出されなくなると（ステップＳＴ１４６でＹＥＳ）、ＣＰＵ１０は、通電を行う必要がなくなったと判断して、ステップＳＴ１４１，ＳＴ１４２のループに戻る。
【０１０５】
一方、通電中も接触が検出されていれば（ステップＳＴ１４４〜ＳＴ１４６でＹＥＳ）、ＣＰＵ１０は、通電時間ｔ１が通電限界時間Ｔｍに達したかどうかを判断する（ステップＳＴ１４７）。通電時間ｔ１が通電限界時間Ｔｍに達していない場合（ステップＳＴ１４７でＹＥＳ）、ＣＰＵ１０は、高周波信号の通電と、通電時間ｔ１の計測と、通電時間ｔ１と通電限界時間Ｔｍとの比較判断とを繰り返し実行する（ステップＳＴ１４４〜ＳＴ１４７でＹＥＳ）。
【０１０６】
以後、高周波信号の通電と通電時間ｔ１の計測とが続けられ（ステップＳＴ１４４，ＳＴ１４５）、その間も接触が検出されて（ステップＳＴ１４６でＹＥＳ）、最終的に通電時間ｔ１が通電限界時間Ｔｍに達すると（ステップＳＴ１４７でＮＯ）、ＣＰＵ１０は、皮膚Ｓに対して、高周波信号をこれ以上通電すると火傷などの事故が起きる危険性があると判断し、強制的に通電を停止する（ステップＳＴ１４８）。
【０１０７】
通電停止（ステップＳＴ１４８）の後は、使用者がヘッド５０を体から離し、端子４１ｘ，４１ｙと皮膚Ｓとの接触がなくなったことをタッチ検出回路５４ｃがＣＰＵ１０に伝えてくると、高周波トリートメント装置全体がリセットされ、ＣＰＵ１０は、ステップＳＴ１４１からの処理を再び実行する。
【０１０８】
このように、端子４１ｘ，４１ｙと皮膚Ｓとの接触が検出されてステップＳＴ１４２でＹＥＳとなると、端子４１ｘ，４１ｙを介して高周波信号を通電するステップＳＴ１４４と、ステップＳＴ１４３で起動したタイマ１１により通電時間ｔ１を計測するステップＳＴ１４５と、ステップＳＴ１４６で接触が検出されている場合に通電時間ｔ１が通電限界時間Ｔｍに達したかどうかを判断するステップＳＴ１４７と、通電時間ｔ１が通電限界時間Ｔｍに達してステップＳＴ１４７でＮＯとなると、強制的に通電を停止するステップＳＴ１４８とをＣＰＵ１０に実行させているので、接触が検出されてから通電限界時間Ｔｍが経過するまでは通電を行い、この後に通電が停止されるようになり、皮膚Ｓに対する過剰通電が抑制され、火傷などの事故を防止することができる。
【０１０９】
タッチセンサ５４は、静電容量やインピーダンスの変化をセンシングする方式や、圧電素子を使って圧力の変化をセンシングする方式などの他、たとえば、図１５に示すような構成であってもよい。
【０１１０】
図１５は、参考例４の構成変更例にかかる高周波トリートメント装置の構成を示す図である。
【０１１１】
図１５において、５５は弾性部材（接触検出手段）、５５ｓはスイッチ（制御手段）、５５ｖは高周波トリートメント装置の電源（制御手段）である。
【０１１２】
図１５においては、弾性部材５５，スイッチ５５ｓおよび電源５５ｖと、タイマ１１と、ＣＰＵ１０とから、信号通電調整手段が構成されている。
【０１１３】
弾性部材５５が皮膚Ｓと接触して押し付けられ、図１５（ａ）から図１５（ｂ）のようになると、弾性部材５５がスイッチ５５ｓをＯＮ状態とし、これにより電源５５ｖの電力が高周波トリートメント装置に供給されるようになる。以後の動作は図１４の場合と同様である。
【０１１４】
以上のように、この参考例４によれば、信号通電調整手段は、端子４１ｘ，４１ｙと皮膚Ｓとの接触を検出するタッチセンサ５４およびタッチ検出回路５４ｃと、高周波信号の通電時間ｔ１を計測するタイマ１１と、端子４１ｘ，４１ｙと皮膚Ｓとの接触がタッチセンサ５４およびタッチ検出回路５４ｃで検出されると、発振回路２０および増幅回路３０を制御して高周波信号を通電するとともに、タイマ１１により通電時間ｔ１を計測し、この通電時間ｔ１が通電限界時間Ｔｍに達すると、発振回路２０および増幅回路３０を制御して高周波信号の通電を停止するＣＰＵ１０とを備えるようにしたので、端子４１ｘ，４１ｙと皮膚Ｓとが接触してから通電限界時間Ｔｍの経過を待って、高周波信号の通電が停止されるようになり、皮膚Ｓに対する過剰通電が抑制され、火傷などの事故を防止できるという効果が得られる。
【０１１５】
［参考例５］
図１６は、参考例５にかかる高周波トリートメント装置の構成を示す図である。
【０１１６】
図１６においては、タイマ１１と、ＣＰＵ１０とから信号通電調整手段が構成されている。
【０１１７】
図１７は、参考例５にかかる高周波トリートメント装置の動作を示すフローチャートである。
【０１１８】
図１７に示されるように、ＣＰＵ１０は、たとえば、図示しない動作ボタンが使用者により押されると、高周波信号の通電を行う必要があると判断し、タイマ１１を起動して通電を開始し（ステップＳＴ１７１，ＳＴ１７２）、この通電時間ｔ１をタイマ１１により計測する（ステップＳＴ１７３）。そして、ＣＰＵ１０は、通電時間ｔ１が通電限界時間Ｔｍに達するまで、高周波信号の通電と、通電時間ｔ１の計測と、通電時間ｔ１と通電限界時間Ｔｍとの比較判断とを繰り返し実行する（ステップＳＴ１７２〜ＳＴ１７４でＹＥＳ）。
【０１１９】
以後、高周波信号の通電と通電時間ｔ１の計測とが続けられ（ステップＳＴ１７２，ＳＴ１７３）、最終的に通電時間ｔ１が通電限界時間Ｔｍに達すると（ステップＳＴ１７４でＮＯ）、ＣＰＵ１０は、皮膚Ｓに対して、高周波信号をこれ以上通電すると火傷などの事故が起きる危険性があると判断し、強制的に通電を停止し、かつ、改めてタイマ１１を起動する（ステップＳＴ１７５）。
【０１２０】
次いで、ＣＰＵ１０は、通電停止となってからの経過時間ｔ２を計測し（ステップＳＴ１７６）、この間は仮に動作ボタンが押されていても、経過時間ｔ２がインターバル時間Ｔｉに達するまで通電停止を続ける（ステップＳＴ１７６，ＳＴ１７７でＹＥＳ）。ここで、インターバル時間Ｔｉは、図１８に示すように、インターバル時間Ｔｉだけ通電を休止すれば、同一の皮膚Ｓに通電限界時間Ｔｍ以下の再通電を行っても、火傷などの事故が起きないと言える程度に十分長い所定の時間を意味する。
【０１２１】
時間が経過して、最終的に経過時間ｔ２がインターバル時間Ｔｉに達すると（ステップＳＴ１７７でＮＯ）、ＣＰＵ１０は、皮膚Ｓに再通電を行っても火傷などの事故が起きないと判断し、通電を再開する（ステップＳＴ１７１）。
【０１２２】
このように、ステップＳＴ１７２での高周波信号の通電中に通電時間ｔ１が通電限界時間Ｔｍに達してステップＳＴ１７４でＮＯとなると通電を停止してタイマ１１を起動するステップＳＴ１７５と、ステップＳＴ１７５で起動したタイマ１１により経過時間ｔ２を計測するステップＳＴ１７６と、経過時間ｔ２がインターバル時間Ｔｉに達したかどうかを判断するステップＳＴ１７７と、経過時間ｔ２がインターバル時間Ｔｉに達してステップＳＴ１７７でＮＯとなると通電を再開するステップＳＴ１７１とをＣＰＵ１０に実行させているので、通電と通電との間にインターバル時間Ｔｉが挟まれるようになり、皮膚Ｓに対する過剰通電が抑制され、火傷などの事故を防止できる。
【０１２３】
なお、図示は省略するが、次のように構成することもできる。
【０１２４】
すなわち、インターバル時間Ｔｉの間は、通電を完全に停止してレベルをゼロとするのではなく、ＣＰＵ１０が、発振回路２０および増幅回路３０を制御して、火傷などの事故が起きないと言える程度に十分に低い所定の閾値Ｌｔｈ以下にまで高周波信号のレベルを下げるようにする。
【０１２５】
そして、インターバル時間Ｔｉが経過した後に、ＣＰＵ１０が、発振回路２０および増幅回路３０を制御して、高周波信号のレベルを閾値Ｌｔｈよりも上げて再通電を行う。つまり、図１７の通電停止は、閾値Ｌｔｈをゼロと考えた場合に相当する。
【０１２６】
また、この参考例５は、高周波トリートメント装置に単独で適用することも可能であり、参考例３や本発明の好ましい実施の形態、参考例４と複合させることも可能である。
【０１２７】
以上のように、この参考例５によれば、信号通電調整手段は、高周波信号の通電時間ｔ１を計測するタイマ１１と、発振回路２０および増幅回路３０を制御して高周波信号のレベルを閾値Ｌｔｈよりも上げると、タイマ１１により通電時間ｔ１を計測し、この通電時間ｔ１が通電限界時間Ｔｍに達すると、発振回路２０および増幅回路３０を制御して高周波信号のレベルを閾値Ｌｔｈ以下に下げるＣＰＵ１０とを備えるようにしたので、閾値Ｌｔｈを超える高周波信号が通電されなくなり、皮膚Ｓに対する過剰通電が抑制され、火傷などの事故を防止できるという効果が得られる。
【０１２８】
また、この参考例５によれば、ＣＰＵ１０は、高周波信号のレベルを閾値Ｌｔｈ以下に下げると、タイマ１１によりその経過時間ｔ２を計測し、この経過時間ｔ２が所定のインターバル時間Ｔｉに達すると、発振回路２０および増幅回路３０を制御して高周波信号のレベルを閾値Ｌｔｈよりも上げるようにしたので、高周波信号の通電と通電の間にインターバル時間Ｔｉが挟まれるようになり、皮膚Ｓに対する過剰通電が抑制され、火傷などの事故を防止できるという効果が得られる。
【０１２９】
なお、参考例１ないし５、本発明の好ましい実施の形態では、通電状態計測手段であるタイマ１１を用いて、通電時間ｔ１や経過時間ｔ２を高周波信号の通電状態として、計測し、この計測した時間ｔ１，ｔ２を、通電限界時間Ｔｍやインターバル時間Ｔｉなどの所定の状態と比較した結果に基づき各制御を行ってきた。しかしながら本発明はこれに限定されるものではなく、タイマ１１の代わりに、皮膚Ｓの通電部位の温度を計測する温度センサ（温度計測手段）をＣＰＵ１０が用いてもよい。
【０１３０】
すなわち、タイマ１１とは別の通電状態計測手段である温度センサを用いて、通電部位の温度を通電状態として計測し、この計測した温度を、通電限界温度や通電安全温度などの所定の状態と比較した結果に基づき、各実施の形態１〜５において通電時間ｔ１や経過時間ｔ２が通電限界時間Ｔｍやインターバル時間Ｔｉに達した場合と同様の動作をＣＰＵ１０に実行させるようにする。
【０１３１】
ここに、通電限界温度とは、皮膚Ｓに対して高周波信号をこれ以上通電すると、火傷などの事故が起きる危険性があると考えられる所定の温度を、通電安全温度とは、通電部位の温度がこれ以下になれば、同一の皮膚Ｓに再通電を行っても火傷などの事故が起きないと言える程度に十分低い所定の温度をそれぞれ意味する。
【０１３２】
以上、本発明は、タイマ１１の代わりに、温度センサを用いて参考例１ないし５、本発明の好ましい実施の形態を実施することも可能である。タイマ１１または温度センサを通電状態計測手段とすることで、時間や温度の計測により簡単に通電状態を把握できるようになり、通電状態計測手段を簡単に構成できる。
【符号の説明】
【０１３３】
１０  ＣＰＵ（制御手段）、１１  タイマ（通電状態計測手段、時間計測手段）、２０  発振回路（信号生成手段）、３０  増幅回路（信号生成手段）、４１ｘ，４１ｙ  端子（端子手段）、４１ｘ−１〜４１ｘ−３，４１ｙ−１〜４１ｙ−３  切替端子（切替端子手段）、５０  ヘッド（端子手段）、５１  モータ（動力伝達手段）、５１ａ  連結部材（動力伝達手段）、５１ｃ  モータ駆動回路（動力伝達手段）、５１ｚ  回転軸、５２ｘ，５２ｙ  スイッチ（スイッチ手段）、５３  動きセンサ（動き検出手段）、５３ｃ  動き検出回路（動き検出手段）、５４  タッチセンサ（接触検出手段）、５４ｃ  タッチ検出回路（接触検出手段）、５５  弾性部材（接触検出手段）、５５ｓ  スイッチ（制御手段）、５５ｖ  電源（制御手段）、Ｓ  皮膚、ｔ１  通電時間、ｔ２  経過時間、Ｔｍ  通電限界時間、Ｔｉ  インターバル時間、Ｌｔｈ  閾値。
【図１】
0005753847.tif 000002
【図２】
0005753847.tif 000003
【図３】
0005753847.tif 000004
【図４】
0005753847.tif 000005
【図５】
0005753847.tif 000006
【図６】
0005753847.tif 000007
【図７】
0005753847.tif 000008
【図８】
0005753847.tif 000009
【図９】
0005753847.tif 000010
【図１０】
0005753847.tif 000011
【図１１】
0005753847.tif 000012
【図１２】
0005753847.tif 000013
【図１３】
0005753847.tif 000014
【図１４】
0005753847.tif 000015
【図１５】
0005753847.tif 000016
【図１６】
0005753847.tif 000017
【図１７】
0005753847.tif 000018
【図１８】
0005753847.tif 000019